(57)【要約】【課題】本発明は、原稿の画像読取位置において、シートの終端までの画像を読み取れるようにする。【解決手段】複写機９０は、メインローラ６と、このメインローラ６に接触する搬送ころ１７，１８，１９とで、画像が形成されたシートを挟みメインローラ６に沿って反転搬送して、メインローラ６の最下点に対向する読取ライン５ａにシートを搬送し、画像を読み取るイメージセンサ５によって、画像を読み取るようになっており、メインローラ６の両側で読取ライン５ａにシートを押圧する読取白地板１４を備えている。【選択図】　　　図６
2004140474.tif 000002
【特許請求の範囲】
【請求項１】
反転回転体と、前記反転回転体に接触する付勢回転体とで、画像が形成されたシートを挟み前記反転回転体に沿って反転搬送して、前記反転回転体の最下点に対向する画像読取位置に前記シートを搬送し、画像を読み取る読取手段によって、前記画像を読み取る画像読取装置において、
前記反転回転体の軸方向で前記画像読取位置に前記シートを押圧する押圧手段を、
備えたことを特徴とする画像読取装置。
【発明の詳細な説明】
【０００１】
【発明の属する技術分野】
本発明は、シートに形成してある画像を読み取る画像読取装置、特に、シートの画像読取位置において、シートの終端までの画像を読み取れる画像読取装置に関する。
【０００２】
【従来の技術】
従来、画像読取装置には、例えば、図８に示すように、画像を形成されたシート（以下、「原稿」という）Ｄの搬送方向に沿って配列した読取前ローラ１３２と読取後ローラ１４２等によって原稿を搬送し、その搬送途中において、画像読取位置１２７ａで原稿読取部１０４によって、原稿の画像を読み取るようになっている形式のものがある（例えば、特許文献１参照）。そして、この画像読取装置１０１は、原稿が画像読取位置１２７ａで浮き上がらないように、付勢部材１４７によって原稿を画像読取位置１２７ａに押し付けて原稿を読み取るようになっている。
【０００３】
【特許文献１】
特開２０００−０３８２３４号公報（図１）
【０００４】
【発明が解決しようとする課題】
しかし、特許文献１に開示された従来の画像読取装置は、次の解決すべき課題があった。
【０００５】
画像読取位置１２７ａの原稿搬送方向上流側と下流側に、読取前ローラ１３２と読取後ローラ１４２とを原稿を搬送するローラとして設けてある。こうした原稿搬送機構における読取前ローラ１３２と読取後ローラ１４２との原稿搬送形態は、次のようになっている。
【０００６】
すなわち、原稿の先端が読取後ローラ１４２に到達するまで、読取前ローラ１３２のみで原稿を搬送する。そして、原稿の先端が読取後ローラ１４２に到達すると、読取前ローラ１３２と読取後ローラ１４２とで原稿を搬送する。最後に、原稿の後端が読取前ローラ１３２から抜けてから排出されるまで、読取後ローラ１４２で原稿を搬送する。なお、この一連の動作において、説明を簡素化するため、読取前ローラ１３２に原稿を１枚ずつに分離して搬送する分離ローラ１３８は原稿の搬送には寄与していないものとしてある。
【０００７】
また、原稿を主に搬送するメイン搬送ローラは、読取前ローラ１３２と読取後ローラ１４２との一方であることが多い。通常、読取前ローラ１３２にメイン搬送ローラの役割を持たせている。
【０００８】
この場合、読取前ローラ１３２と読取後ローラ１４２との原稿搬送力は、
読取前ローラ１３２の原稿搬送力＞読取後ローラ１４２の原稿搬送力
の関係になっている。
【０００９】
なお、読取前ローラ１３２の原稿搬送力は、読取前ローラ１３２ところ１３２ａとによる原稿の挟圧力、摩擦等によって決まる。また、読取後ローラ１４２の原稿搬送力は、読取後ローラ１４２ところ１４２ａとによる原稿の挟圧力、摩擦等によって決まる。
【００１０】
また、読取前ローラ１３２と読取後ローラ１４２との製作時において、原稿の搬送量を決める外形寸法に、若干の寸法のバラツキ（通常、約±０．０４ｍｍ、精度重視でも約±０．０２ｍｍ）が生じることがある。
【００１１】
そのため、読取前ローラ１３２と読取後ローラ１４２との原稿搬送量を同一とすることが困難であった。
【００１２】
そこで、読取前ローラ１３２と読取後ローラ１４２との原稿搬送量の関係を、
読取前ローラ１３２の原稿搬送量≦読取後ローラ１４２の原稿搬送量
の関係になっている。
【００１３】
このような関係によって、画像読取装置１０１は、原稿の先端が読取後ローラ１４２に到達した後、読取後ローラ１４２を原稿に対して滑らせながら読取前ローラ１３２と読取後ローラ１４２とで原稿を搬送して、常に、原稿を引っ張って読取手段に密着させている。
【００１４】
このため、読取前ローラ１３２と読取後ローラ１４２とが何回転かした後、原稿の後端が読取前ローラ１３２から抜け出たとき、滑りながら原稿を搬送していた読取後ローラ１４２の搬送負荷が一気に解放されて、その解放された一瞬の間に、読取後ローラ１４２が所定の搬送量を超えた搬送量で原稿を搬送することがある。
【００１５】
すなわち、従来の画像読取装置１０１は、画像読取位置において、原稿に搬送むらが生じていた。
【００１６】
この結果、画像読取装置１０１は、原稿搬送精度が著しく低下して、原稿読み取りにおいての画像が著しく劣化し、さらに、原稿読取精度も低下していた。
【００１７】
特に、スキャナー機能では、一度読み取った画像を、パソコン（ＰＣ）によってモニター上に何倍にも拡大して見ることができるため、読み取った画像を１画素単位で確認することができて、読み取った画像の質の悪さが顕著に表れることがある。
【００１８】
このような、課題を解決する対策として、原稿が読取前ローラ１３２から抜け出る前の、読取前ローラ１３２と読取後ローラ１４２とで原稿を搬送している間に、原稿の読取を終了させることが考えられる。しかし、この場合には、原稿の後端の画像まで確実に読み取ることができないという別な課題が生じる。
【００１９】
本発明は、原稿の画像読取位置において、シートの終端までの画像を読み取れる画像読取装置を提供することを目的としている。
【００２０】
【課題を解決するための手段】
上記目的を達成するため、本発明の画像読取装置は、反転回転体と、前記反転回転体に接触する付勢回転体とで、画像が形成されたシートを挟み前記反転回転体に沿って反転搬送して、前記反転回転体の最下点に対向する画像読取位置に前記シートを搬送し、画像を読み取る読取手段によって、前記画像を読み取るようになっており、前記反転回転体の軸方向で前記画像読取位置に前記シートを押圧する押圧手段を、備えている。
【００２１】
【発明の実施の形態】
以下、本発明の実施形態の画像読取装置を図面に基づいて説明する。また、本実施形態の画像読取装置を装置本体に備えた画像形成装置も図面に基づいて説明する。
【００２２】
画像形成装置は、シートに画像を形成するようになっている。画像形成装置には、複写機の他に、ファクシミリ、プリンタ、及びこれらの複合機等がある。本実施形態の画像読取装置は、画像形成装置の一例であるプリンタ機能を備えたデジタル複写機の装置本体に設けてあるが、複写機のみに設けられるものではない。
【００２３】
なお、本実施の形態では、画像が形成されたシートを「原稿」と言い符号をＤとし、画像を形成されるシートを「記録紙」と言い符号をＰとする。また、画像読取装置は、原稿の他に書籍も読み取ることができるが、主に、原稿を読み取る場合に付いて説明する。
【００２４】
（複写機）
図１乃至図３は、複写機の外観斜視図である。図４は、画像読取装置の斜視図である。図５は、図１の複写機の記録紙の搬送方向に沿った断面図である。
【００２５】
複写機９０は、装置本体でもある画像記録装置９１の上部に画像読取装置９２を有している。複写機９０は、コピーモードの場合、画像読取装置９２で読み取った画像情報を画像記録装置９１で記録紙に画像として記録し、プリントモードの場合、外部からの画像データを画像記録装置９１で記録紙に画像として記録するようになっている。
【００２６】
画像記録装置９１は、図５に示すように、画像読取装置９２で原稿を読み取った画像情報、あるいは外部から送信されてきた画像情報に基づく光学系３１からレーザ光によって、像担持体である感光体ドラム３７を照射して感光体ドラム３７に静電潜像を形成する。そして、画像形成手段である例えばプロセスカートリッジ３８としてカートリッジ化された画像形成部において、感光体ドラム７に形成してある静電潜像を現像剤（トナー）で現像してトナー像にする。
【００２７】
一方、トナー像の形成と同期して、画像記録装置９１の底部に配設した記録紙給紙部３９から搬送部３３によって記録紙Ｐを画像記録装置９１内に供給して、搬送する。転写器３４は、感光体ドラム３７上のトナー像を記録紙Ｐに転写する。そして、定着器３５が記録紙を加圧加熱してトナー像を記録紙に定着する。最後に排紙ローラ３６によって、記録紙をトレイ３２に排出する。
【００２８】
（画像読取装置）
図５乃至図８に基づいて画像読取装置を説明する。
【００２９】
画像読取装置９２は、原稿読取搬送部９３と、読取部ユニット９４と、原稿スライダユニット９５とで構成されている。読取部ユニット９４は、原稿あるいは開いた書籍を載置することのできるプラテンガラス３と、原稿が自動的に通過するシートガラス４と、読取手段である例えば密着型イメージセンサ５（本実施例では、密着型イメージセンサを使用）等で構成されている。原稿スライダユニット９５は、ユーザが原稿を揃える部分である。
【００３０】
原稿圧板１の下面には、ユーザが原稿をプラテンガラス３に載置したとき、その原稿をプラテンガラス３に密着させる圧板白地板２を取り付けてある。原稿圧板１と圧板白地板２を設けてある原稿スライダユニット９５は、ヒンジ２２（図３参照）を回転中心にして回転して、プラテンガラス３の上面を開放し、プラテンガラス３の上面に原稿や開いた書籍を積載できるように読取部ユニット９４に設けてある。
【００３１】
原稿圧板１の上方には、複数枚の原稿Ｄが載置可能な原稿載置台１ａを設けてある。原稿載置台１ａには、原稿の搬送方向に対して直交する方向（原稿の幅方向）に沿って移動自在なスライダ１ｂを１対設けてある。ユーザがスライダ１ｂを動かすことによって、原稿載置台１ａ上に置いた原稿Ｄの両端を揃えることができる。
【００３２】
原稿読取搬送部９３には、反転回転体である例えばメインローラ６の円弧と同一形状の略Ｕ字状の原稿搬送路であるＵターンパス７を設けてある。このＵターンパス７には、分離ローラ９及び分離パット１０、原稿Ｄの有無を検出する原稿有無センサ１１、原稿Ｄを搬送するメインローラ６及び対向する付勢回転体である例えばころ１６，１７，１８，１９、排出手段である例えば排紙ローラ１２及び対向ころ１２ａ、原稿Ｄの先端部及び後端部を検出する不図示の原稿エッジセンサ等を取り付けてある。ころ１６，１７，１８，１９の径Ｂ２，Ｂ３，Ｂ４，Ｂ５は、メインローラ６の径Ｂ１より、小径に設定されている。
【００３３】
Ｕターンパス７は、搬送ころ１６から排紙ローラ１２までの外周を形成する外周原稿ガイド２０と、搬送ころ１６から排紙ローラ１２までの内周を形成する内周原稿ガイド２１とで形成されている。内周原稿ガイド２１のメインローラ６に沿った部分は、メインローラ６による原稿の搬送に邪魔にならないようにメインローラ６の円弧より小さい円弧で形成してある。
【００３４】
プラテンガラス３及びシートガラス４を介して原稿読取搬送部９３の反対側に配置された（プラテンガラス３及びシートガラス４の下側に配置された）密着型イメージセンサ５は、光源としてのＬＥＤアレイから原稿Ｄの画像情報面に光を照射して、画像情報面で反射した反射光をセルフォックレンズ（商標）でセンサ素子に結像し、画像情報面の画像情報を読み取るようになっている。
【００３５】
この密着型イメージセンサ５は、図６に記載の矢印Ａ方向（図６の左右方向）に移動するようになっている。イメージセンサ５は、プラテンガラス３にユーザが置いた原稿や開いた本を読み取るとき、図６の右側にあるプラテンガラス３の下を走査して、原稿や本の情報を読み取るようになっている。また、イメージセンサ５は、原稿読取搬送部９３で原稿を読み取るとき、すなわちシートガラス４に自動的に送り込まれてくる原稿を読み取るとき、読取位置である例えば読取ライン５ａに停止して、順次搬送されてくる原稿Ｄを順次読み取るようになっている。
【００３６】
ユーザが、原稿読取搬送部９３の原稿載置台１ａに、原稿Ｄの読取画像面を上側にして原稿載置台１ａの右側から原稿をセットする。すると、原稿Ｄの先端が原稿ストッパ１３に受け止められる。また、原稿有無センサ１１によって原稿Ｄが原稿載置台１ａに載置されたことが検知される。
【００３７】
そして、ユーザが図１に示す操作部９６から読取開始を指示すると、不図示の駆動部が始動して、原稿ストッパ１３がピックアップアーム８ａによって押し下げられる。ピックアップローラ８は、原稿Ｄを、Ｕターンパス７の内部へと送り込む。このとき、原稿は、原稿ストッパ１３上の傾斜面１３ａを通過する。また、原稿が重なって原稿載置台１ａから供給されたとき、分離ローラ９と摩擦部材である例えば分離パット１０とが協働して、原稿Ｄを１枚ずつに分離して、最上位の原稿Ｄから順次Ｕターンパス７に搬送する。分離ローラ９と分離パット１０は分離手段の一例である。
【００３８】
以上の構成の内、図６に示す、メインローラ６、上流搬送ころ１７、読取前搬送ころ１８、読取後搬送ころ１９、イメージセンサ５、シートガラス４、排紙ローラ１２及び対向ころ１２ａ等は、シート状の原稿を読み取るシート状原稿読取機構４１を構成している。この機構において、メインローラ６、上流搬送ころ１７、排紙ローラ１２の部分は、読取前搬送ころ１８、読取後搬送ころ１９、イメージセンサ５、シートガラス４、対向ころ１２ａを残して、図６において、左側に回動できるようになっている。その部分を左側に回転させると、シートガラス４が開放されて、シートジャム処理を行うことができる。
【００３９】
また、原稿圧板１と圧板白地板２を設けてある原稿スライダユニット９５、プラテンガラス３、イメージセンサ５等は、プラテンガラスの下方をイメージセンサが移動して、プラテンガラス３に載置してあるシートあるいは開いた書籍を読み取るブック状原稿読取機構４２を構成している。原稿スライダユニット９５は、持ち上げると、ヒンジ２２（図３参照）によって回転して、プラテンガラス３を開放することができるようになっている。なお、原稿スライダユニット９５は、シート状原稿読取機構４１とは別に回転するようになっている。
【００４０】
分離された原稿Ｄは、メインローラ６と、上流搬送ころ１６及び上流搬送ころ１７と、読取前搬送ころ１８とによって、Ｕターンパス７に沿って搬送され、さらにシートガラス４の直下に位置する密着型イメージセンサ５の読取ライン５ａへと搬送される。
【００４１】
不図示の原稿エッジセンサによって原稿Ｄの先端部を検知すると、その位置から所定量搬送されたところで、密着型イメージセンサ５によって、原稿の画像情報の読み取りが開始される。そのとき、原稿は、メインローラ６の略最下点に送り込まれており、メインローラ６に押圧されたメインローラ６の長さ以外の部分は、メインローラ６の長さ方向（軸方向）の両側に位置する押圧手段である例えば１対の読取白地板１４に押圧されて読み取られる。
【００４２】
ここで、次に本発明の最も特徴のある部分である、メインローラ６と１対の読取白地板１４とを図６、図７に基づいて説明する。図７は、図６に示した矢印Ｇ方向から見た原稿読取搬送部９３の斜視図であり、一部の部品を省略した図である。
【００４３】
原稿は、メインローラ６によってシートガラス４に押し付けられならが、メインローラ６の回転によってシートガラス４上を搬送される。このとき、１対の読取白地板１４は、原稿がシートガラス４から浮き上がらないように、付勢手段である例えばばね２３に押されて原稿をシートガラス４に押し付けている。このばね２３の押圧力は、原稿の搬送速度を遅らせない程度の力である。
【００４４】
なお、ばね２３を設ける代わりに、読取白地板１４に弾性を持たせて、その弾力によって原稿をシートガラス４に押し付けてもよい。また、読取白地板１４は、原稿を円滑に案内できるように、メインローラ６の円弧面にほぼ沿った案内面１４ａを形成してある。
【００４５】
メインローラ６の軸方向に沿った長さ（Ｌ）は、原稿の搬送方向に対して交差する方向の長さ（原稿の幅）より短く設定してある。このため、メインローラ６は、原稿の読取幅全域ではなく、中央部のみ（本実施形態では、約２０ｍｍ幅）に接触するようになっている。そして、メインローラ６の両側には、メインローラ６を挟むようにして、読取白地板１４を設けている。読取白板板１４は、メインローラ６が原稿に接触している部分の残りの領域に接触するようになっている。
【００４６】
プラテンガラス３上に貼り付けた図示しない白基準シートにより、密着型イメージセンサ５によって絶対白を取る構成としているため、読取白地板１４はバックグラウンドカラーとしての機能と、シートガラス４に原稿Ｄを押し付けて密着させる機能と、原稿を案内する搬送ガイドとしての機能を備えている。メインローラ６の踏面６ａも白色になっている。
【００４７】
読取ライン５ａを通過してイメージセンサ５によって画像の読み取りを開始された原稿は、シートガラス４の下流側に設けた斜面部材１５によってすくい上げられて、メインローラ６及び読取後搬送ころ１９によって搬送され、排紙ローラ１２と対向ころ１２ａとの間に送り込まれる。
【００４８】
このとき、原稿読取搬送部９３は、原稿を各ころ１６，１７，１８，１９によってメインローラ６に押し付けて、メインローラ６によって、原稿Ｄを搬送するようになっている。このため、本実施形態の画像読取装置９２は、読取ライン５ａを通過する、すなわち、読取中の原稿を、常に等速度で搬送するという特長がある。
【００４９】
また、読取前搬送ころ１８と読取後搬送ころ１９の径をできるだけ小さくして、上流搬送ころ１６，１７の径より小径にしてあるので、シートガラス４上に存在する読取ライン５ａに可能な限り近づけることができる。その結果、本実施形態の画像読取装置９２は、読取前搬送ころ１８と読取後搬送ころ１９とによって、読取ライン５ａ近傍で原稿をメインローラ６に押し付けているので、従来よりも長時間原稿をメインローラ６に押し付けることができて、原稿の遊びが少なくなり、原稿の画像の読取精度を高くすることができる。
【００５０】
また、読取前搬送ころ１８が原稿をメインローラ６に長時間押し付けていることによって、原稿の画像の読取精度を低下させること無く、原稿の終端ぎりぎりまで画像を読み取ることができる。
【００５１】
なお、読取前搬送ころ１８の径Ｂ４のみを小径にしても、読取前搬送ころ１８が原稿をメインローラ６に長時間押し付けているので、原稿の画像の読取精度を低下させること無く、原稿の終端ぎりぎりまで画像を読み取ることができる。
【００５２】
また、読取前搬送ころ１８と読取後搬送ころ１９とを同径にすると、読取前搬送ころ１８と読取後搬送ころ１９とがメインローラ６に対して同じ回転速度で回転するので、原稿の搬送が円滑になる。また、読取前搬送ころ１８と読取後搬送ころ１９とを異径すると、周囲の構成に合わせて、読取ライン５ａに接近させることができる。特に、読取前搬送ころ１８の径を読取後搬送ころ１９の径より小径にすると、読取前搬送ころ１８を読取ライン５ａにできるだけ接近させることができて、読取ライン５ａの近くで、原稿の後端をメインローラ６に圧接させることができて、原稿の読み取り精度を高めることができる。
【００５３】
そして、画像読取装置９２は、不図示の原稿エッジセンサによって、原稿Ｄの後端部が検知されると、その位置から所定量搬送されたところで、密着型イメージセンサ５によって画像情報の読み取りを終了する。当該原稿Ｄは、排紙ローラ１２と対向ローラ１２ａとによって原稿排出台兼用の原稿圧板１の排出シート積載部である例えば上面１ｃに排出される。
【００５４】
このようにして、画像読取装置９２は、原稿読取搬送部９３及び読取部ユニット９４によって、原稿有無センサ１１が原稿無しを検知するまで上述した読取動作を繰り返す。
【００５５】
本発明の実施態様の例を以下に列挙する。
【００５６】
（実施態様１）反転回転体と、前記反転回転体に接触する付勢回転体とで、画像が形成されたシートを挟み前記反転回転体に沿って反転搬送して、前記反転回転体の最下点に対向する画像読取位置に前記シートを搬送し、画像を読み取る読取手段によって、前記画像を読み取る画像読取装置において、前記反転回転体の軸方向で前記画像読取位置に前記シートを押圧する押圧手段を、備えたことを特徴とする画像読取装置。
【００５７】
実施態様１の画像読取装置は、押圧手段によってシートを画像読取位置に押圧するので、画像読取位置からシートの浮き上がりを防止して、シートの画像を確実に読み取ることができる。
【００５８】
また、押圧手段がシートの終端までを画像読取位置に押圧しているので、シートの終端までの画像を確実に読み取ることができる。
【００５９】
（実施態様２）前記押圧手段は、前記シートを案内する案内面を有していることを特徴とする実施態様１に記載の画像読取装置。
【００６０】
実施態様２の画像読取装置は、案内面によってシートを案内してシートを円滑に読み取ることができる。
【００６１】
（実施態様３）前記押圧手段は、付勢手段によって前記画像読取位置に押圧されていることを特徴とする実施態様１又は２に記載の画像読取装置。
【００６２】
実施態様３の画像読取装置は、付勢手段によってシートの浮き上がりを防止して、シートの画像を確実に読み取ることができる。
【００６３】
（実施態様４）前記押圧手段は、シートを前記画像読取位置に押圧する弾性を備えていることを特徴とする実施態様１乃至３のいずれか１つに記載の画像読取装置。
【００６４】
実施態様４の画像読取装置は、押圧手段の弾力によってシートの浮き上がりを防止して、シートの画像を確実に読み取ることができる。
【００６５】
（実施態様５）前記反転回転体の踏面と、前記押圧手段の前記読取手段に対向する面は、白色になっていることを特徴とする実施態様１乃至４のいずれか１つに記載の画像読取装置。
【００６６】
（実施態様６）前記反転回転体と、前記付勢回転体と、前記押圧手段と、前記読取手段と、前記画像読取位置に配設されて上面を前記シートが通過するシートガラスと、前記反転回転体と前記付勢回転体によって搬送される前記シートを排出する排出手段とを有するシート状原稿読取機構と、ブック状原稿が載置されるプラテンガラスを有して、前記プラテンガラスの下方を前記読取手段が移動して前記ブック状原稿を読取可能なブック状原稿読取機構と、を備えたことを特徴とする実施態様１に記載の画像読取装置。
【００６７】
（実施態様７）前記シート状原稿読取機構は、画像が形成されたシートが積載されるシート積載手段と、前記シート積載手段上のシートを搬送するシート搬送手段と、前記シート搬送手段によって搬送されるシートが重送されたとき該シートを１枚ずつに分離する分離手段とを備えた実施態様４に記載の画像読取装置。
【００６８】
（実施態様８）前記ブック状原稿読取機構は、前記排出手段によって排出されたシートが積載される排出シート積載部を有していることを特徴とする実施態様７に記載の画像読取装置。
【００６９】
（実施態様９）前記分離手段は、前記シートを挟んで１枚に分離する分離ローラと摩擦部材とを有していることを特徴とする実施態様８に記載の画像読取装置。
【００７０】
（実施態様１０）シートに形成された画像を読み取る画像読取装置と、前記画像読取装置によって読み取った画像をシートに形成する画像形成手段と、を備え、前記画像読取装置が実施態様１乃至９のいずれか１つに記載の画像読取装置であることを特徴とする画像形成装置。
【００７１】
【発明の効果】
本発明の画像読取装置は、押圧手段でシートを画像読取位置に押圧するようになっているので、原稿の浮き上がりを確実に防止して、原稿の画像の読取精度を向上させることができる。
【００７２】
本発明の画像読取装置は、押圧手段がシートの終端まで画像読取位置に押圧しているので、シートの画像を確実に読み取ることができる。
【００７３】
本発明の画像読取装置は、多数の回転体を使用することなく構成されているので、装置外形を小さくしてコストを低減させることができる。また、画像読取位置での原稿搬送を常に一定にすることができて、読取画像品質を高くすることができる。また、画像読取装置を使い勝手を良くすることができる。
【図面の簡単な説明】
【図１】本発明の実施形態の画像読取装置を装置本体に装備してある画像形成装置の一例である複写機の外観斜視図である。
【図２】図１の複写機において、画像を形成したシートを排出した状態の図である。
【図３】図１の複写機を背面側から見た図である。
【図４】本発明の実施形態における、画像読取装置の外観斜視図である。
【図５】図１の複写機の記録紙の搬送方向に沿った断面図である。
【図６】図５における複写機の画像読取装置の部分拡大図である。
【図７】図６に示した矢印Ｇ方向から見た原稿読取搬送部の斜視図であり、一部の部品を省略した図である。
【図８】従来の画像読取装置の正面断面図である。
【符号の説明】
Ｄ　　　原稿（シート）
Ｐ　　　記録紙（シート）
１　　　原稿圧板
２　　　圧板白地板
３　　　プラテンガラス
４　　　シートガラス
５　　　密着型イメージセンサ（読取手段）
５ａ　　読取ライン（読取位置）
６　　　メインローラ（反転回転体）
６ａ　　踏面
７　　　Ｕターンパス
９　　　分離ローラ（分離手段）
１０　　　分離パット（摩擦部材、分離手段）
１２　　　排紙ローラ（排出手段）
１２ａ　　対向ころ（排出手段）
１４　　　読取白地板（押圧手段）
１６　　　上流搬送ころ（付勢回転体）
１７　　　上流搬送ころ（付勢回転体）
１８　　　読取前搬送ころ（付勢回転体）
１９　　　読取後搬送ころ（付勢回転体）
２０　　　外周原稿ガイド
２１　　　内周原稿ガイド
２２　　　ヒンジ
２３　　　ばね（付勢手段）
３７　　　感光体ドラム
３８　　　プロセスカートリッジ（画像形成手段）
３９　　　記録紙給紙部
４１　　　シート状原稿読取機構
４２　　　ブック状原稿読取機構
９０　　　複写機（画像形成装置）
９１　　　画像記録装置
９２　　　画像読取装置
９３　　　原稿読取搬送部
９４　　　読取部ユニット
９５　　　原稿スライダユニット
９６　　　操作部
【図１】
2004140474.tif 000003
【図２】
2004140474.tif 000004
【図３】
2004140474.tif 000005
【図４】
2004140474.tif 000006
【図５】
2004140474.tif 000007
【図６】
2004140474.tif 000008
【図７】
2004140474.tif 000009
【図８】
2004140474.tif 000010